(57)【要約】【課題】往診先の患者を選択する手間を不要又は簡略化し、往診時の医療情報処理の所要時間を短縮する。【解決手段】電子カルテ機能と、各患者の居所情報を持つ居所記憶手段と、ＧＰＳから現在位置を取得する位置取得手段と、取得した現在位置と各患者の居所とを比較して居所が現在位置に最も近い患者を検索する患者検索手段と、検索した患者を医療情報処理の対象患者の第１候補として候補リストに選択可能に表示する候補表示手段と、候補リスト中から操作入力により選択された患者を医療情報処理の対象患者に設定する患者設定手段とを有する診療支援装置１０。【選択図】　　　図１
2004038607.tif 000002
【特許請求の範囲】
【請求項１】
医療情報を電子的に記録し再生する電子カルテ機能を備えた診療支援装置であって、
各患者の居所情報を持つ居所記憶手段と、
ＧＰＳから現在位置を取得する位置取得手段と、
前記取得した現在位置と各患者の居所とを比較して居所が現在位置に最も近い患者を検索する患者検索手段と、
前記検索した患者を医療情報処理の対象患者に設定する患者設定手段と、
を有することを特徴とする診療支援装置。
【請求項２】
医療情報を電子的に記録し再生する電子カルテ機能を備えた診療支援装置であって、
各患者の居所情報を持つ居所記憶手段と、
ＧＰＳから現在位置を取得する位置取得手段と、
前記取得した現在位置と各患者の居所とを比較して居所が現在位置に最も近い患者を検索する患者検索手段と、
前記検索した患者を医療情報処理の対象患者の第１候補として候補リストに選択可能に表示する候補表示手段と、
前記候補リスト中から操作入力により選択された患者を医療情報処理の対象患者に設定する患者設定手段と、
を有することを特徴とする診療支援装置。
【請求項３】
請求項１又は請求項２に於いて、
前記位置取得手段は緯度・経度表現の位置情報をＧＰＳから取得し、
前記取得した緯度・経度表現の位置情報を前記患者設定手段により設定した患者の居所情報として前記居所記憶手段に登録する居所登録手段を更に有し、
前記患者検索手段は、前記位置取得手段により取得した緯度・経度表現の位置情報を、前記居所記憶手段が持つ各患者の緯度・経度表現の居所と比較して、居所が現在位置に最も近い患者を検索する、
ことを特徴とする診療支援装置。
【請求項４】
請求項１又は請求項２に於いて、
前記位置取得手段は緯度・経度表現の位置情報をＧＰＳから取得し、
前記取得した緯度・経度表現の位置情報に対応する住所情報表現の位置情報をネットワークから取得する位置情報変換手段を更に有し、
前記患者検索手段は、前記位置情報変換手段により取得した住所情報表現の位置情報を、前記居所記憶手段が持つ各患者の住所情報表現の居所と比較して、居所が現在位置に最も近い患者を検索する、
ことを特徴とする診療支援装置。
【請求項５】
医療情報を電子的に記録し再生する電子カルテ機能を備えた診療支援装置であって、
各患者の居所情報を持つ居所記憶手段と、
無線通信システムの端末手段と、
前記無線通信システムの基地局との位置関係に基づいて現在位置を取得する位置取得手段と、
前記取得した現在位置と各患者の居所とを比較して居所が現在位置に最も近い患者を検索する患者検索手段と、
前記検索した患者を医療情報処理の対象患者に設定する患者設定手段と、
を有することを特徴とする診療支援装置。
【請求項６】
医療情報を電子的に記録し再生する電子カルテ機能を備えた診療支援装置であって、
各患者の居所情報を持つ居所記憶手段と、
無線通信システムの端末手段と、
前記無線通信システムの基地局との位置関係に基づいて現在位置を取得する位置取得手段と、
前記取得した現在位置と各患者の居所とを比較して居所が現在位置に最も近い患者を検索する患者検索手段と、
前記検索した患者を医療情報処理の対象患者の第１候補として候補リストに選択可能に表示する候補表示手段と、
前記候補リスト中から操作入力により選択された患者を医療情報処理の対象患者に設定する患者設定手段と、
を有することを特徴とする診療支援装置。
【請求項７】
請求項５又は請求項６に於いて、
前記位置取得手段は基地局表現の位置情報を取得し、
前記取得した基地局表現の位置情報を前記患者設定手段により設定した患者の居所情報として前記居所記憶手段に登録する居所登録手段を更に有し、
前記患者検索手段は、前記位置取得手段により取得した基地局表現の位置情報を、前記居所記憶手段が持つ各患者の基地局表現の居所と比較して、居所が現在位置に最も近い患者を検索する、
ことを特徴とする診療支援装置。
【請求項８】
請求項５又は請求項６に於いて、
前記位置取得手段は基地局表現の位置情報を取得し、
前記取得した基地局表現の位置情報に対応する住所情報表現の位置情報をネットワークから取得する位置情報変換手段を更に有し、
前記患者検索手段は、前記位置情報変換手段により取得した住所情報の位置情報を、前記居所記憶手段が持つ各患者の住所情報表現の居所と比較して、居所が現在位置に最も近い患者を検索する、
ことを特徴とする診療支援装置。
【発明の詳細な説明】
【０００１】
【発明の属する技術分野】
本発明は、ＧＰＳ（Ｇｌｏｂａｌ　Ｐｏｓｉｔｉｏｎｉｎｇ　Ｓｙｓｔｅｍ）、又はＰＨＳ（Ｐｅｒｓｏｎａｌ　Ｈａｎｄｙｐｈｏｎｅ　Ｓｙｓｔｅｍ）等の無線通信システムから現在位置を取得する機能と、電子カルテ機能と、を備えた診療支援装置に関する。
【０００２】
【従来の技術】
医療情報を電子的に記録・再生する電子カルテ機能を持つコンピュータ（診療支援装置）を患者宅へ持参して、当該患者の過去の診療情報を参照したり、当日の診療結果を記録することがある。その場合、当該患者を医療情報処理（医療情報の参照及び／又は入力）の対象患者に設定する必要があり、そのためには、電子カルテ機能の患者選択画面から当該患者を選択しなければならない。
【０００３】
【発明が解決しようとする課題】
電子カルテ機能の患者選択画面には、登録されている患者が、通常は優先順位無く一覧表示されるため、その中から所望の患者を見出して選択する操作には手間と時間を要する。このため、その手間を省いて、往診時の医療情報処理の所要時間を短縮したいという要請がある。
本発明は、この要請に応えることを目的とする。
【０００４】
【課題を解決するための手段】
本発明は、下記［１］〜［８］の何れかのように構成される。
［１］医療情報を電子的に記録し再生する電子カルテ機能を備えたコンピュータ装置（診療支援装置）であって、各患者の居所情報を持つ居所記憶手段と、ＧＰＳ（Ｇｌｏｂａｌ　Ｐｏｓｉｔｉｏｎｉｎｇ　Ｓｙｓｔｅｍ）から現在位置を取得する位置取得手段と、前記取得した現在位置と各患者の居所とを比較して居所が現在位置に最も近い患者を検索する患者検索手段と、前記検索した患者を医療情報処理の対象患者に設定する患者設定手段と、を有することを特徴とする診療支援装置。
医療情報とは医療に関する情報一般である。即ち、診療情報のように診療時に取得される情報の他、患者の個人情報（住所，氏名，年齢，職業等）や、保険情報等をも含む。上記の診療情報としては、例えば、患者が話す主観的な情報（病歴等）、医師が看取した客観的な情報（所見等）、医師の判断（傷病名等）、医師の行為（処置，投薬等）等を挙げることができる。
患者の居所とは患者が居住している場所であり、例えば、患者宅である。居所情報とは居所を特定する位置情報であり、ここでは、○○県○○市○○区○○町○○丁目○○番地のような住所情報表現や、緯度・経度表現が想定される。
ＧＰＳ（Ｇｌｏｂａｌ　Ｐｏｓｉｔｉｏｎｉｎｇ　Ｓｙｓｔｅｍ）とは、地球上空の衛星軌道（現状では高度２１０００ｋｍの軌道）上の多数（現状では２４個）の衛星からの電波を受信することによって現在位置を測定する公知のシステムである。
「医療情報処理の対象患者に設定する」とは、医療情報を参照したり、新規に入力したり、書き換えたりする対象とすることをいう。具体的には、例えば、当該患者の診療情報を再生してカルテ２号紙画面に表示したり、当該患者の診療情報を入力するための診療情報入力画面を表示したりすることをいう。
上記の各説明は、以下の該当する構成について、同様に適用される。
【０００５】
［２］医療情報を電子的に記録し再生する電子カルテ機能を備えたコンピュータ装置（診療支援装置）であって、各患者の居所情報を持つ居所記憶手段と、ＧＰＳ（Ｇｌｏｂａｌ　Ｐｏｓｉｔｉｏｎｉｎｇ　Ｓｙｓｔｅｍ）から現在位置を取得する位置取得手段と、前記取得した現在位置と各患者の居所とを比較して居所が現在位置に最も近い患者を検索する患者検索手段と、前記検索した患者を医療情報処理の対象患者の第１候補として候補リストに選択可能に表示する候補表示手段と、前記候補リスト中から操作入力により選択された患者を医療情報処理の対象患者に設定する患者設定手段と、を有することを特徴とする診療支援装置。
第１候補として表示する表示態様としては、例えば、候補リストの先頭に表示する、当該患者を強調表示する、当該患者の氏名の前等に○印等の符号や１等の順位を付して表示する等、種々の表示方法が考えられる。
「選択可能に表示する」とは、当該患者の氏名等をマウスの左クリック等で選択すると、当該患者が医療情報処理の対象患者に設定される表示をいう。
候補リストの第２番目以降に表示する患者の順序は任意であるが、例えば、患者検索手段による比較の結果、居所が現在位置に２番目に近い患者、３番目に近い患者というように、近い順に表示するようにしてもよい。
上記の各説明は、以下の該当する構成について、同様に適用される。
【０００６】
［３］前記［１］又は［２］の構成に於いて、前記位置取得手段は緯度・経度表現の位置情報をＧＰＳ（Ｇｌｏｂａｌ　Ｐｏｓｉｔｉｏｎｉｎｇ　Ｓｙｓｔｅｍ）から取得し、前記取得した緯度・経度表現の位置情報を前記患者設定手段により設定した患者の居所情報として前記居所記憶手段に登録する居所登録手段を更に有し、前記患者検索手段は前記位置取得手段により取得した緯度・経度表現の位置情報を前記居所記憶手段が持つ各患者の緯度・経度表現の居所と比較して居所が現在位置に最も近い患者を検索する、ことを特徴とする診療支援装置。
例えば、現在位置から或る所定範囲内に何れの患者の居所も無い場合には、患者検索手段は患者を検索せず、該当する患者が無い旨を表示したり、順位を付けずに候補リストを表示する（［２］の構成を受ける場合）設定としておく。例えば、初回の往診時には当該患者の緯度・経度表現の居所情報が居所記憶手段に記憶されていないことが普通であり、このため、緯度・経度表現での比較では該当する患者が無いと思われる。上記の表示（該当する患者が無い旨の表示／順位を欠く候補リスト）を見て、ユーザが目の前の患者を医療情報処理の対象に選択すると、居所登録手段が、現在位置の緯度・経度を当該患者の居所情報（経度・緯度表現の居所情報）として登録する。これにより、次回の往診時からは、当該患者を緯度・経度表現の比較で検索可能となる。
第１候補として候補リストに表示された患者が目の前の患者（現在位置の患者宅の患者）と異なる場合、即ち、候補リストが誤っている場合も、ユーザ選択により、現在の緯度・経度表現の居所情報を当該患者の居所情報として居所登録手段が更新登録するようにしてもよい。
上記の各説明は、以下の該当する構成について、同様に適用される。
【０００７】
［４］前記［１］又は［２］に於いて、前記位置取得手段は緯度・経度表現の位置情報をＧＰＳ（Ｇｌｏｂａｌ　Ｐｏｓｉｔｉｏｎｉｎｇ　Ｓｙｓｔｅｍ）から取得し、前記取得した緯度・経度表現の位置情報に対応する住所情報表現の位置情報をネットワークから取得する位置情報変換手段を更に有し、前記患者検索手段は前記位置情報変換手段により取得した住所情報表現の位置情報を前記居所記憶手段が持つ各患者の住所情報表現の居所と比較して居所が現在位置に最も近い患者を検索する、ことを特徴とする診療支援装置。
例えば、インターネット上には、緯度・経度表現の位置情報を、○○県○○市○○区○○町○○丁目○○番地のような住所情報表現に変換するサービスが提供されている。位置情報変換手段は、このサーバにアクセスすることで、緯度・経度表現の位置情報から、住所情報表現の位置情報を得ることができる。
患者検索手段による住所情報表現での比較は、住所情報表現の上位所定区分の項目まで、例えば、○○県○○市○○区○○町○○丁目まで居所情報が合致する患者を検索するように行う。住所情報表現のどの区分まで合致／非合致を比較するかは、ＧＰＳから取得する緯度・経度の精度にも依存する。この説明は、以下の該当する構成について、同様に適用される。
【０００８】
［５］医療情報を電子的に記録し再生する電子カルテ機能を備えたコンピュータ装置（診療支援装置）であって、各患者の居所情報を持つ居所記憶手段と、無線通信システム（例：ＰＨＳ（Ｐｅｒｓｏｎａｌ　Ｈａｎｄｙｐｈｏｎｅ　Ｓｙｓｔｅｍ））の端末手段と、前記無線通信システムの基地局との位置関係に基づいて現在位置を取得する位置取得手段と、前記取得した現在位置と各患者の居所とを比較して居所が現在位置に最も近い患者を検索する患者検索手段と、前記検索した患者を医療情報処理の対象患者に設定する患者設定手段と、を有することを特徴とする診療支援装置。
無線通信システムの一例としては、ＰＨＳ（Ｐｅｒｓｏｎａｌ　Ｈａｎｄｙｐｈｏｎｅ　Ｓｙｓｔｅｍ）を挙げることができるが、ＰＨＳに限定されない。
ＰＨＳの端末からアクセス可能なネットワーク上には、各基地局の位置や高さをデータベースとして持ち、端末等からの要求に応じて位置情報サービスを提供するサーバがある。このサービスを利用することで、位置取得手段は、現在位置を取得することができる。即ち、位置取得手段が付近の基地局のＩＤ情報や受信電界強度を端末手段から取得して位置情報サーバへ送り、これに基づいて位置情報サーバが当該端末の位置を特定し、この情報を位置取得手段が利用する構成である。
居所情報としては、ここでは、地図上の座標点のような座標情報表現、○○県○○市○○区○○町○○丁目○○番地のような住所情報表現、付近の基地局のＩＤ情報及び受信電界強度の組のような基地局表現が想定される。
各患者の居所情報として各患者宅の付近の基地局のＩＤ情報及び受信電界強度の組を持つ場合（基地局表現の居所情報を持つ場合）には、前述の位置情報サービスを利用することなく、患者宅で受信した付近の基地局のＩＤ情報及び電界強度の組から当該患者宅を特定することが可能となる。
上記の各説明は、以下の該当する構成について、同様に適用される。
【０００９】
［６］医療情報を電子的に記録し再生する電子カルテ機能を備えたコンピュータ装置（診療支援装置）であって、各患者の居所情報を持つ居所記憶手段と、無線通信システム（例：ＰＨＳ（Ｐｅｒｓｏｎａｌ　Ｈａｎｄｙｐｈｏｎｅ　Ｓｙｓｔｅｍ））の端末手段と、前記無線通信システムの基地局との位置関係に基づいて現在位置を取得する位置取得手段と、前記取得した現在位置と各患者の居所とを比較して居所が現在位置に最も近い患者を検索する患者検索手段と、前記検索した患者を医療情報処理の対象患者の第１候補として候補リストに選択可能に表示する候補表示手段と、前記候補リスト中から操作入力により選択された患者を医療情報処理の対象患者に設定する患者設定手段と、を有することを特徴とする診療支援装置。
【００１０】
［７］前記［５］又は［６］に於いて、前記位置取得手段は基地局表現の位置情報を前記無線通信システムのサーバから取得し、前記取得した基地局表現の位置情報を前記患者設定手段により設定した患者の居所情報として前記居所記憶手段に登録する居所登録手段を更に有し、前記患者検索手段は前記位置取得手段により取得した基地局表現の位置情報を前記居所記憶手段が持つ各患者の基地局表現の居所と比較して居所が現在位置に最も近い患者を検索する、ことを特徴とする診療支援装置。
例えば、現在位置から或る所定範囲内に何れの患者の居所も無い場合には、患者検索手段は患者を検索せず、該当する患者が無い旨を表示したり、順位を付けずに候補リストを表示する（［６］の構成を受ける場合）設定としておく。例えば、初回の往診時には当該患者の基地局表現の居所情報が居所記憶手段に記憶されていないことが普通であり、このため、基地局表現の比較では該当する患者が無いと思われる。上記の表示（該当する患者が無い旨の表示／順位を欠く候補リスト）を見て、ユーザが現在の患者を医療情報処理の対象として選択すると、居所登録手段が、現在位置付近の基地局のＩＤ情報及び受信電界強度の組を当該患者の居所情報（基地局表現の居所情報）として登録する。これにより、次回の往診時からは、当該患者を基地局表現での比較により検索可能となる。
第１候補として候補リストに表示された患者が現在位置の患者宅の患者と異なる場合、即ち、候補リストが誤っている場合も、ユーザ選択により、居所登録手段が現在基地局表現の居所情報を、当該患者の居所情報として更新登録するようにしてもよい。
上記の各説明は、以下の該当する構成について、同様に適用される。
【００１１】
［８］前記［５］又は［６］に於いて、前記位置取得手段は基地局表現の位置情報を取得し、前記取得した基地局表現の位置情報に対応する住所情報表現の位置情報をネットワークから取得する位置情報変換手段を更に有し、前記患者検索手段は前記位置情報変換手段により取得した住所情報表現の位置情報を前記居所記憶手段が持つ各患者の住所情報表現の居所と比較して居所が現在位置に最も近い患者を検索する、ことを特徴とする診療支援装置。
ネットワーク上で、基地局表現の位置情報を、地図上の位置に変換して提供するサービスが提供されている。これに類似するサービスとして、ネットワーク上で、基地局表現の位置情報を、○○県○○市○○区○○町○○丁目○○番地のような住所情報表現に変換するサービスを提供する。位置情報変換手段は、このサーバにアクセスすることで、基地局表現の位置情報から、住所情報表現の位置情報を得ることができる。
患者検索手段による住所情報表現での比較は、住所情報表現の上位所定区分の項目まで、例えば、○○県○○市○○区○○町○○丁目まで居所情報が合致する患者を検索するように行う。住所情報表現のどの区分まで合致／非合致を比較するかは、付近の基地局から取得する受信電界強度の精度等にも依存する。
【００１２】
【発明の実施の形態】
以下、図面を参照して本発明の実施の形態を説明する。
［Ａ］システムの構成：
図１は実施の形態の往診端末装置（診療支援装置）１０が機能するシステムの構成を示す。図示のシステムは、複数（２４個）のＧＰＳ衛星９０（図１ではＧＰＳ衛星９０ｉ〜９０ｋを示す）と、無線通信システムの一例であるＰＨＳの基地局８０（図１では基地局８０ｓ〜８０ｕを示す）と、緯度・経度表現−住所情報表現の変換機能を持つＧＰＳサーバ９１と、基地局表現−住所情報表現の変換機能を持つＰＨＳサーバ８１と、診療情報や患者書誌情報等の医療情報のデータベースを持つ医療機関サーバ１１とを有する。これらを利用して、移動可能なコンピュータ装置である往診端末装置１０が、本発明の機能を実現する。そのために、往診端末装置１０は、ＧＰＳの端末装置としての機能、ＰＨＳの端末装置としての機能、ＧＰＳ及び／又はＰＨＳを利用して現在の往診先の患者を特定する対象患者特定機能、及び電子カルテ機能を持つ。
【００１３】
ＧＰＳ端末機能とは、上空の３又は４個のＧＰＳ衛星からの電波を受信して現在位置（緯度・経度表現の現在位置）を検出する機能をいう。また、緯度・経度表現とは、緯度と経度の組み合わせで位置を示す表現方式をいう。
【００１４】
ＰＨＳ端末機能とは、付近の複数のＰＨＳ基地局が発する電波を受信して現在位置（基地局表現の現在位置）を検出する機能と、ＰＨＳのネットワークに接続する機能と、さらに必要に応じてＰＨＳのネットワークを介してインターネットに接続する機能とをいう。また、基地局表現とは、付近の各ＰＨＳ基地局のＩＤ情報と受信電界強度の組として位置を示す表現方式をいう。ネットワークに接続する機能や、さらに必要に応じてインターネットに接続する機能は、緯度・経度表現の現在位置に対応する住所情報表現の現在位置をＧＰＳサーバ９１から取得する際や、基地局表現の現在位置に対応する住所情報表現の現在位置をＰＨＳサーバ８１から取得する際に用いられる。
【００１５】
往診端末装置１０からの要求に応じて緯度・経度表現に対応する住所情報表現を返すために、ＧＰＳサーバ９１は、図６に示すように、緯度と経度の組み合わせに住所情報（○○県○○市○○町○○丁目○○番地のように住所を表記する情報）を対応付けるテーブル（緯度・経度−住所情報表現の変換テーブル）を有する。このテーブルの緯度と経度の詳細さ（度，分，秒，，，）は、往診先の患者宅を特定できる詳細さである。
【００１６】
同様に、往診端末装置１０からの要求に応じて基地局表現に対応する住所情報表現を返すために、ＰＨＳサーバ８１は、図７に示すテーブルや機能を持つ。即ち、基地局−基地局−基地局・区域特定３次元テーブルと、特定区域内座標変換機能と、座標−住所表現変換テーブルとを持つ。基地局−基地局−基地局・区域特定３次元テーブルは、相互に近接した３つの基地局（例：基地局８０ｓと、基地局８０ｔと、基地局８０ｕ）の組み合わせに、或る特定の区域を一意に対応付けるテーブルである。このテーブルを用いることで、受信電界強度が強い上位３つの基地局のＩＤ情報から現在位置が属する区域を特定できる。特定区域内座標変換テーブルは、区域を特定する３つの基地局の各受信電界強度から当該区域内の座標を求める機能である。この機能により、受信電界強度が強い上位３つの基地局のＩＤ情報から求めた区域内での座標を求めることができる。座標−住所情報表現変換テーブルは、区域と該区域内のＸ座標及びＹ座標の組み合わせに住所情報（○○県○○市○○町○○丁目○○番地のように住所を表記する情報）を対応付けるテーブルである。これらを用いることで、ＰＨＳサーバ８１は、３つの基地局の組み合わせと該３つの基地局の受信電界強度とで表された位置（基地局表現の位置）を、住所情報表現に変換することができる。なお、図７に示す構成は一例であり、相互に近傍位置に在る複数の基地局のＩＤと該各基地局の受信電界強度とから住所情報を求める手法であればよい。
【００１７】
なお、対象患者特定機能については後にフローチャートに即して詳細に説明する。また、電子カルテ機能は患者の医療情報を電子的に記録・再生する公知の機能であるため、詳細な説明は省略する。
【００１８】
医療機関サーバ１１は、図８に示すように、電子カルテ機能を持ち、また、電子カルテ機能が処理する診療情報データベースを持つ。診療情報データベースには、患者書誌情報が患者毎に記録されている患者書誌情報テーブル、患者−傷病テーブル、傷病−傷病名テーブル、患者経過テーブル、患者処方等テーブル等が含まれる。また、患者書誌情報テーブルの居所情報の項目としては、通常の表現である住所情報表現の他に、緯度・経度表現の項目と、基地局表現の項目とがある。これら緯度・経度表現や基地局表現の項目は、患者にとって初回の往診時に記録される項目である。その詳細は、対象患者特定手順の項目で述べる。
【００１９】
［Ｂ］対象患者特定手順：
医師等（ユーザ）が往診先の患者宅等へ着くと、対象患者特定機能が起動されて、医療情報処理の対象患者を特定する処理が開始される。
以下では、ＧＰＳを利用する処理と、無線通信システムの一例であるＰＨＳを利用する処理とを、それぞれ別々に説明するが、両者は併用してもよく、電波状態等に応じて適宜に切り換えるように構成してもよい。
【００２０】
［Ｂ−１］ＧＰＳを利用する処理：
まず、ＧＰＳを利用した処理を説明する。
［Ｂ−１−１］処理の概要：
まず、ＧＰＳ衛星からの電波に基づいて検出した現在位置（緯度・経度表現の現在位置）を、各患者の居所情報（緯度・経度表現の居所情報）と比較する。なお、患者にとって初回の往診の場合には、当該患者の緯度・経度表現の居所情報は登録が無い。なぜなら、初来院時等に入力される書誌項目中の患者居所情報は住所情報表現であり、緯度・経度表現ではないからである。このため、現在位置の患者が初めて往診を受ける患者である場合には、緯度・経度表現の居所情報が緯度・経度表現の現在位置に合致する患者（該当する患者）は検出されない。
【００２１】
緯度・経度表現での比較の結果、該当する患者が検出された場合は、該患者を第１候補とする候補リストを患者選択画面に表示し、医師が目の前の患者を確認して選択すると、該患者の診療情報処理用の画面を起動する。
【００２２】
緯度・経度表現での比較の結果、該当する患者が検出されない場合は、現在位置（緯度・経度表現）に対応する住所情報表現の現在位置をネットワークから取得し、該取得した住所情報表現の現在位置を、各患者の居所情報（住所情報表現の居所情報）と比較する。
【００２３】
住所情報表現での比較の結果、該当する患者が検出された場合は、該患者を第１候補とする候補リストを患者選択画面に表示し、医師が目の前の患者を確認して選択すると、該患者の診療情報処理用の画面を起動する。ここで、住所情報表現での比較が行われる場合とは、現在位置の患者に関して緯度・経度表現の居所情報が登録されていない場合であるため、ＧＰＳ衛星からの電波に基づいて検出した現在位置（緯度・経度表現の現在位置）を、該患者の緯度・経度表現での現在位置として登録する。
【００２４】
住所情報表現での比較の結果、該当する患者が検出されない場合は、候補順位を付さない患者リストを患者選択画面に表示し、医師が目の前の患者を確認して選択すると、該患者の診療情報処理用の画面を起動する。ここで、住所情報表現での比較が行われる場合とは、現在位置の患者に関して緯度・経度表現の居所情報が登録されていない場合であるため、ＧＰＳ衛星からの電波に基づいて検出した現在位置（緯度・経度表現の現在位置）を、該患者の緯度・経度表現での現在位置として登録する。また、住所情報表現での比較で患者が検出されない場合とは、現在位置の患者に関して登録されている住所情報表現の居所情報が誤っている場合であるため、患者の居所情報の更新入力画面を表示して、医師に正しい居所情報（住所情報表現の居所情報）を入力させる。
ＧＰＳを利用した処理は、概ね、以上のように行われる。
【００２５】
［Ｂ−１−２］処理の詳細：
以下、ＧＰＳを利用して現在の患者を特定する手順の詳細を、図２〜図３のフローチャートに即して説明する。
検出タイミングまで待機する（Ｓ０１）。この待機の間、往診端末装置１０のＧＰＳ端末機能はＧＰＳ衛星からの電波を継続して受信し、常に最新の値に更新して保持している。検出タイミングとは、医師が往診先の患者宅へ着いたタイミングである。例えば、往診端末装置１０が屋内へ入ったためにＧＰＳ衛星からの信号が遮られたタイミングや、往診端末装置１０の電子カルテ機能を起動するべくスイッチが投入されたタイミング等のように、医師が患者宅へ到着したことに関連するイベントを、検出タイミングとして採用することができる。
【００２６】
検出タイミングになると（Ｓ０１でＹＥＳ）、往診端末装置１０の対象患者特定機能が「現在位置を取得すべき旨」の指示を出す。この指示に応じて、ＧＰＳ端末機能は、ＧＰＳ衛星からの電波に基づいて検出した現在位置（緯度・経度表現の現在位置）を、対象患者特定機能へ返す（Ｓ１１）。なお、この検出に用いるＧＰＳ衛星からの電波は、前述のように、ＧＰＳ端末機能が継続的な受信・更新によって保持している最新の値である。
【００２７】
対象患者特定機能は、取得した現在位置（緯度・経度表現の現在位置）と、各患者の居所情報（緯度・経度表現の居所情報）とをそれぞれ比較して、合致する患者を検索する（Ｓ１３）。比較の対象とする患者は、ここでは、往診端末装置１０の電子カルテ機能が保持している患者（今回の往診のために医師が所属医療機関のサーバ１１から予め取得しておいた患者）であるが、比較に先立って往診端末装置１０が医療機関のサーバ１１からネットワークを介して取得するように構成してもよい。また、比較のために取得する患者の範囲は、当該医師が属する医療機関に登録されている全患者でもよいが、当該医師の担当患者又は今回の往診予定の患者に制限することが、処理負担軽減・処理時間短縮の見地から望ましい。また、比較に於いて合致するか否かの判定基準は、例えば、「取得した現在位置から半径１００ｍ以内を合致範囲とする」というように、ＧＰＳの精度や往診対象患者の分布密度等を考慮して、適宜に設定しているものとする。
【００２８】
現在位置（緯度・経度表現の現在位置）と、各患者の居所情報（緯度・経度表現の居所情報）との比較の結果、両者が合致する患者が検出された場合は（Ｓ１５でＹＥＳ）、当該患者を第１候補とする候補リストを、患者選択画面に表示する（Ｓ１７）。即ち、直ちに当該患者の医療情報処理用の画面（カルテ２号紙画面，診療情報入力画面等）を起動するのではなく、まず、患者選択画面を起動して、患者の検出が正しく行われたことを医師に確認させることとする。図９に候補リストの一例を示す。なお、往診対象の患者分布の密度が低い等、誤検出の可能性が低い場合には、直ちに当該検出された患者の医療情報処理用の画面（カルテ２号紙画面，診療情報入力画面等）を起動するように構成してもよい。
【００２９】
現在位置（緯度・経度表現の現在位置）と、各患者の居所情報（緯度・経度表現の居所情報）との比較の結果、両者が合致する患者が検出されない場合は（Ｓ１５でＮＯ）、まず、緯度情報無しフラグを１にセットする（Ｓ２１）。この緯度情報無しフラグは、ＧＰＳ端末機能により取得した現在位置（緯度・経度表現の現在位置；Ｓ１１参照）を、目の前の患者（医師が選択する患者；後述のＳ４１参照）の居所情報（緯度・経度表現の居所情報）として登録するか否かのチェックに用いられる（後述のＳ４３参照）。
【００３０】
緯度情報無しフラグのセット後、緯度・経度表現の現在位置に対応する住所情報表現をネットワークから取得する（Ｓ２３）。まず、対象患者特定機能が「現在位置の住所情報表現を取得すべき旨」の指示を出す。この指示に従ってＰＨＳ端末機能がネットワークに接続して、緯度・経度表現を住所情報表現に変換するデータベースを持つネットワーク上のサーバ（本例ではＧＰＳサーバ９１）にアクセスし、該ＧＰＳサーバ９１から現在位置の住所情報表現を取得して、対象患者特定機能に返す。
【００３１】
次に、対象患者特定機能は、上記ステップＳ２３で取得した現在位置（住所情報表現の現在位置）と、各患者の居所情報（住所情報表現の居所情報）とをそれぞれ比較して、合致する患者を検索する（Ｓ２５）。ここで、比較の対象とする患者や、比較のために取得する患者の範囲は、前記ステップＳ１３と同様である。また、合致するか否かの判定基準は、例えば、○○県○○市○○町○○丁目○○番地のような表記であれば「町名までを合致の範囲とする」というように、ＧＰＳの精度や往診対象患者の分布密度等を考慮して、適宜に設定しているものとする。
【００３２】
現在位置（住所情報表現の現在位置）と、各患者の居所情報（住所情報表現の居所情報）との比較の結果、両者が合致する患者が検出された場合は（Ｓ２７でＹＥＳ）、Ｓ１３〜Ｓ１５の緯度・経度表現に基づく比較の場合と同様に、ステップＳ１７に進む。即ち、当該患者を第１候補とする候補リストを、患者選択画面に表示する（Ｓ１７）。なお、往診対象の患者分布の密度が低い場合等、誤検出の可能性が低いと推定される場合には、直ちに当該患者の医療情報処理用の画面（カルテ２号紙画面，診療情報入力画面等）を起動するように構成してよいことも、緯度・経度表現に基づく比較の場合と同様である。
【００３３】
現在位置（住所情報表現の現在位置）と、各患者の居所情報（住所情報表現の居所情報）との比較の結果、両者が合致する患者が検出されない場合は（Ｓ２７でＮＯ）、まず、住所情報無しフラグを１にセットする（Ｓ２９）。この住所情報無しフラグは、ＧＰＳ端末機能による検出結果を用いてネットワークから取得した現在位置（住所情報表現の現在位置；Ｓ２３参照）を、目の前の患者（医師が選択する患者；後述のＳ４１参照）の居所情報（住所情報表現の居所情報）として登録するか否かのチェックに用いられる（後述のＳ５１参照）。次に、候補順位を付さない患者リストを患者選択画面に表示する（Ｓ３１）。即ち、この場合は、患者の選択を全面的に医師に任せることとなる。
【００３４】
前記ステップＳ１７（候補リスト表示）、及び上記ステップＳ３１（候補順位を付さない患者リスト表示）からは、ステップＳ４１に進み、医師等の操作入力による患者選択を待機する（Ｓ４１）。
【００３５】
患者が選択されると（Ｓ４１でＹＥＳ）、まず、緯度情報無しフラグをチェックする（Ｓ４３）。その結果、緯度情報無しフラグが１にセットされている場合は（Ｓ４３でＹＥＳ）、医師等が視認して操作入力により選択した患者の居所情報（緯度・経度表現の居所情報）が未登録の場合であるから（Ｓ２１参照）、ステップＳ１１でＧＰＳ端末機能により取得した現在位置（緯度・経度表現の現在位置）を、当該患者の緯度・経度表現の居所情報として登録する（Ｓ４５）。この登録内容は、後に又はネットワーク経由で直ちに、医療機関サーバ１１のデータベースに反映される。この登録により、次回の往診時からは、当該患者の書誌情報は緯度・経度表現の居所情報を持つことになる。
登録後、緯度情報無しフラグを０にリセットする（Ｓ４５）。
【００３６】
次に、住所情報無しフラグをチェックする（Ｓ５１）。その結果、住所情報無しフラグが１にセットされている場合は（Ｓ５１でＹＥＳ）、医師が視認して操作入力により選択した患者の居所情報（住所情報表現の居所情報）が正しく登録されていない場合であるから（Ｓ２９参照）、当該選択患者用の居所情報（住所情報表現の居所情報）の更新入力画面を表示する（Ｓ５３）。即ち、正しい住所の入力を促す。また、この更新入力画面から居所情報が入力されると（Ｓ５５でＹＥＳ）、該入力された居所情報を、当該選択患者の居所情報（住所情報表現の居所情報）として更新登録する（Ｓ５７）。この登録内容は、後に又はネットワーク経由で直ちに、医療機関サーバ１１のデータベースに反映される。この更新登録により、次回の往診時からは、当該患者の書誌情報は住所情報表現の正しい居所情報を持つことになる。
登録後、住所情報無しフラグを０にリセットする（Ｓ５７）。
【００３７】
以上のようにして、医療情報処理の対象患者が確定すると、当該対象患者の診療情報処理用の画面（カルテ２号紙画面，診療情報入力画面等）を起動する（Ｓ６１）。以後、電子カルテの処理が可能となる。
【００３８】
［Ｂ−２］ＰＨＳを利用した処理：
次に、無線通信システムの一例であるＰＨＳを利用した処理を説明する。
［Ｂ−２−１］処理の概要：
まず、付近の各ＰＨＳ基地局から受信したＩＤ情報及び受信電界強度の組から成る現在位置（基地局表現の現在位置）を、各患者の居所情報（基地局表現の居所情報）と比較する。なお、患者にとって初回の往診の場合には、当該患者の基地局表現の居所情報は登録が無い。なぜなら、初来院時等に入力される書誌項目中の患者居所情報は住所情報表現であり、基地局表現ではないからである。このため、現在位置の患者が初めて往診を受ける患者である場合には、居所情報（基地局表現）が、現在位置（基地局表現）に合致する患者（該当する患者）は検出されない。
【００３９】
基地局表現での比較の結果、該当する患者が検出された場合は、該患者を第１候補とする候補リストを患者選択画面に表示し、医師が目の前の患者を確認して選択すると、該患者の診療情報処理用の画面を起動する。
【００４０】
基地局表現での比較の結果、該当する患者が検出されない場合は、基地局表現の現在位置に対応する住所情報表現の現在位置をネットワークから取得し、該取得した現在位置（住所情報表現）を、各患者の居所情報（住所情報表現の居所情報）と比較する。
【００４１】
住所情報表現での比較の結果、該当する患者が検出された場合は、該患者を第１候補とする候補リストを患者選択画面に表示し、医師が目の前の患者を確認して選択すると、該患者の診療情報処理用の画面を起動する。ここで、住所情報表現での比較が行われる場合とは、現在位置の患者に関して基地局表現の居所情報が登録されていない場合であるため、付近の各ＰＨＳ基地局から受信されるＩＤ情報と受信電界強度との組から成る現在位置（基地局表現の現在位置）を、該患者の基地局表現での現在位置として登録する。
【００４２】
住所情報表現での比較の結果、該当する患者が検出されない場合は、候補順位を付さない患者リストを患者選択画面に表示し、医師が目の前の患者を確認して選択すると、該患者の診療情報処理用の画面を起動する。また、住所情報表現での比較が行われる場合とは、現在位置の患者に関して基地局表現の居所情報が登録されていない場合であるため、付近の各ＰＨＳ基地局から受信されるＩＤ情報と受信電界強度の組から成る現在位置（基地局表現の現在位置）を、該患者の基地局表現での現在位置として登録する。さらに、住所情報表現での比較で患者が検出されない場合とは、現在位置の患者に関して登録されている住所情報表現の居所情報が誤っている場合であるため、患者の居所情報の更新入力画面を表示して、医師に正しい居所情報（住所情報表現の居所情報）を入力させる。
ＰＨＳを利用した処理は、概ね、以上のように行われる。
【００４３】
［Ｂ−２−２］処理の詳細：
以下、ＰＨＳを利用して現在の患者を特定する手順の詳細を、図４〜図５のフローチャートに即して説明する。
検出タイミングまで待機する（Ｔ０１）。この待機の間、往診端末装置１０のＰＨＳ端末機能は付近の各ＰＨＳ基地局からのＩＤ情報と受信電界強度を継続して検出し、常に最新の値に更新して保持している。検出タイミングとは、医師が往診先の患者宅へ着いたタイミングである。例えば、往診端末装置１０の電子カルテ機能を起動するべくスイッチが投入されたタイミング等のように、医師が患者宅へ到着したことに関連するイベントを、検出タイミングとして採用することができる。
【００４４】
検出タイミングになると（Ｔ０１でＹＥＳ）、往診端末装置１０の対象患者特定機能が「現在位置を取得すべき旨」の指示を出す。この指示に応じて、ＰＨＳ端末機能は、付近の各ＰＨＳ基地局から受信されるＩＤ情報と受信電界強度の組から成る現在位置（基地局表現の現在位置）を、対象患者特定機能へ返す（Ｔ１１）。ここで、付近の各ＰＨＳ基地局から受信されるＩＤ情報と受信電界強度の組から成る現在位置（基地局表現の現在位置）とは、前述のように、ＰＨＳ端末機能が継続的な検出・更新によって保持している最新の値である。
【００４５】
対象患者特定機能は、取得した現在位置（基地局表現の現在位置）と、各患者の居所情報（基地局表現の居所情報）とをそれぞれ比較して、合致する患者を検索する（Ｔ１３）。比較の対象とする患者は、ここでは、往診端末装置１０の電子カルテ機能が保持している患者（今回の往診のために医師が所属医療機関のサーバ１１から予め取得しておいた患者）であるが、比較に先立って往診端末装置１０が医療機関のサーバ１１からネットワークを介して取得するように構成してもよい。また、比較のために取得する患者の範囲は、医師が属する医療機関に登録されている全患者でもよいが、当該医師の担当患者又は今回の往診予定の患者に制限することが、処理負担軽減・処理時間短縮の見地から望ましい。また、合致するか否かの判定基準は、例えば、「取得した現在位置から半径１００ｍ以内を合致範囲とする」というように、往診対象患者の分布密度等を考慮して、適宜に設定しているものとする。
【００４６】
現在位置（基地局表現の現在位置）と、各患者の居所情報（基地局表現の居所情報）との比較の結果、両者が合致する患者が検出された場合は（Ｔ１５でＹＥＳ）、当該検出された患者を第１候補とする候補リストを、患者選択画面に表示する（Ｔ１７）。即ち、直ちに当該検出された患者の医療情報処理用の画面（カルテ２号紙画面，診療情報入力画面等）を起動するのではなく、まず、患者選択画面を起動して、患者の検出が正しく行われたことを医師に確認させることとする。図９に候補リストの一例を示す。なお、往診対象の患者分布の密度が低い等のように、誤検出の可能性が低い場合には、直ちに当該検出された患者の医療情報処理用の画面（カルテ２号紙画面，診療情報入力画面等）を起動するように構成してもよい。
【００４７】
現在位置（基地局表現の現在位置）と、各患者の居所情報（基地局表現の居所情報）との比較の結果、両者が合致する患者が検出されない場合は（Ｔ１５でＮＯ）、まず、基地局情報無しフラグを１にセットする（Ｔ２１）。この基地局情報無しフラグは、付近の各ＰＨＳ基地局との位置関係を示す現在位置（基地局表現の現在位置；Ｔ１１参照）を、目の前の患者（医師が選択する患者；後述のＴ４１参照）の居所情報（基地局表現の居所情報）として登録するか否かのチェックに用いられる（後述のＴ４３参照）。
【００４８】
基地局情報無しフラグのセット後、基地局表現の現在位置に対応する住所情報表現を、ネットワークから取得する（Ｔ２３）。まず、対象患者特定機能が「現在位置の住所情報表現を取得すべき旨」の指示を出す。この指示に従ってＰＨＳ端末機能がネットワークに接続して、基地局表現を住所情報表現に変換する機能を持つネットワーク上のサーバ（本例ではＰＨＳサーバ８１）にアクセスし、該ＰＨＳサーバ８１から現在位置に対応する住所情報表現を取得して、対象患者特定機能に返す。
【００４９】
次に、対象患者特定機能は、上記ステップＴ２３で取得した現在位置（住所情報表現の現在位置）と、各患者の居所情報（住所情報表現の居所情報）とをそれぞれ比較して、合致する患者を検索する（Ｔ２５）。ここで、比較対象とする患者や比較のために取得する患者の範囲は、前記ステップＴ１３と同様である。また、合致するか否かの判定基準は、例えば、○○県○○市○○町○○丁目○○番地のような表記であれば「町名までを合致の範囲とする」というように、往診対象患者の分布密度等を考慮して、適宜に設定しているものとする。
【００５０】
現在位置（住所情報表現の現在位置）と、各患者の居所情報（住所情報表現の居所情報）との比較の結果、両者が合致する患者が検出された場合は（Ｔ２７でＹＥＳ）、Ｔ１３〜Ｔ１５の基地局表現に基づく比較の場合と同様に、ステップＴ１７に進む。即ち、当該検出された患者を第１候補とする候補リストを、患者選択画面に表示する（Ｔ１７）。なお、往診対象の患者分布の密度が低い場合等のように誤検出の可能性が低いと推定される場合には、直ちに当該検出された患者の医療情報処理用の画面（カルテ２号紙画面，診療情報入力画面等）を起動するように構成してよいことも、基地局表現に基づく比較の場合と同様である。
【００５１】
現在位置（住所情報表現の現在位置）と、各患者の居所情報（住所情報表現の居所情報）との比較の結果、両者が合致する患者が検出されない場合は（Ｔ２７でＮＯ）、まず、住所情報無しフラグを１にセットする（Ｔ２９）。この住所情報無しフラグは、付近の各ＰＨＳ基地局から受信されるＩＤ情報と受信電界強度の組に基づいてネットワークから取得した現在位置（住所情報表現の現在位置；Ｔ２３参照）を、目の前の患者（医師が選択する患者；後述のＴ４１参照）の居所情報（住所情報表現の居所情報）として登録するか否かのチェックに用いられる（後述のＴ５１参照）。次に、候補順位の無い患者リストを、患者選択画面に表示する（Ｔ３１）。つまり、この場合は、対象患者の選択を全面的に医師に任せることとなる。
【００５２】
前記ステップＴ１７（候補リスト表示）、及び上記ステップＴ３１（候補順位の無い患者リスト表示）からは、ステップＴ４１に進み、医師等の操作入力による患者選択を待機する（Ｔ４１）。
【００５３】
患者が選択されると（Ｔ４１でＹＥＳ）、まず、基地局情報無しフラグをチェックする（Ｔ４３）。その結果、基地局情報無しフラグが１にセットされている場合は（Ｔ４３でＹＥＳ）、医師等が視認して操作入力により選択した患者の居所情報（基地局表現の居所情報）が未登録の場合であるから（Ｔ２１参照）、付近の各ＰＨＳ基地局から受信されるＩＤ情報と受信電界強度の組から成る現在位置（基地局表現の現在位置；Ｔ１１参照）を、当該選択患者の基地局表現の居所情報として登録する（Ｔ４５）。この登録内容は、後に又はネットワーク経由で直ちに、当該医師の所属の医療機関サーバ１１のデータベースに反映される。この登録により、次回の往診時からは、当該患者の書誌情報は基地局表現の居所情報を持つことになる。
登録後、基地局情報無しフラグを０にリセットする（Ｔ４５）。
【００５４】
次に、住所情報無しフラグをチェックする（Ｔ５１）。その結果、住所情報無しフラグが１にセットされている場合は（Ｔ５１でＹＥＳ）、医師等が視認して操作入力で選択した患者の居所情報（住所情報表現の居所情報）が正しく登録されていない場合であるから（Ｔ２９参照）、当該患者用の居所情報（住所情報表現の居所情報）の更新入力画面を表示する。即ち、正しい住所の入力を促す（Ｔ５３）。また、この画面から居所情報が入力されると（Ｔ５５でＹＥＳ）、当該入力された居所情報を、当該選択患者の居所情報（住所情報表現の居所情報）として更新登録する（Ｔ５７）。この登録内容は、後に又はネットワーク経由で直ちに、医療機関サーバ１１のデータベースに反映される。この登録により、次回の往診時からは、当該患者の書誌情報は正しい住所情報表現の居所情報を持つことになる。
登録後、住所情報無しフラグを０にリセットする（Ｔ５７）。
【００５５】
以上のようにして、医療情報処理の対象患者が確定すると、当該対象患者の診療情報処理用の画面（カルテ２号紙画面，診療情報入力画面等）を起動する（Ｔ６１）。以後、電子カルテの処理が可能となる。
【００５６】
［Ｃ］電子カルテの処理：
前記［Ａ］のステップＳ６１や前記［Ｂ］のステップＴ６１で表示される診療情報処理用の画面の一例である診療録画面を図１０に例示する。
図示の画面表示は電子カルテ機能によって行われる。また、図１０内に表示されている各種の診療データは、医師等の操作入力により選択された患者（図３のＳ４１，図５のＴ４１参照）の患者コードを用いて、図１１の患者−傷病テーブルと傷病−傷病名テーブル、及び図１２の患者経過等情報テーブルと患者処方等情報テーブルから読み出されたものである。なお、図１０以外の画面表示を行う場合であって図１１や図１２に無い情報を表示する場合も、患者に特有の情報については、上記と同様に、医師等の操作入力により選択された患者の患者コードを用いて同様に読み出しが行われる。
【００５７】
【発明の効果】
前記［１］の構成（電子カルテ機能を備え、各患者の居所情報を持つ居所記憶手段と、ＧＰＳから現在位置を取得する位置取得手段と、取得した現在位置と各患者の居所とを比較して居所が現在位置に最も近い患者を検索する患者検索手段と、検索した患者を医療情報処理の対象患者に設定する患者設定手段とを有する構成）では、往診先の患者を選択する手間が不要であるため、往診時の医療情報処理の所要時間を短縮できる効果がある。
【００５８】
前記［２］の構成（電子カルテ機能を備え、各患者の居所情報を持つ居所記憶手段と、ＧＰＳから現在位置を取得する位置取得手段と、取得した現在位置と各患者の居所とを比較して居所が現在位置に最も近い患者を検索する患者検索手段と、検索した患者を医療情報処理の対象患者の第１候補として候補リストに選択可能に表示する候補表示手段と、候補リスト中から操作入力により選択された患者を医療情報処理の対象患者に設定する患者設定手段とを有する構成）では、往診先の患者であると推定される患者を第１候補として表示するため、往診先の患者を選択する操作が簡単であり、往診時の医療情報処理の所要時間を短縮できる効果がある。
【００５９】
前記［３］の構成（前記［１］又は［２］の構成に於いて、位置取得手段は緯度・経度表現の位置情報をＧＰＳから取得し、取得した緯度・経度表現の位置情報を患者設定手段により設定した患者の居所情報として居所記憶手段に登録する居所登録手段を更に有し、患者検索手段は位置取得手段により取得した緯度・経度表現の位置情報を居所記憶手段が持つ各患者の緯度・経度表現の居所と比較して居所が現在位置に最も近い患者を検索する構成）では、現在位置を緯度・経度表現で比較できるため、［１］や［２］の効果に加えて、処理が簡単であるという効果がある。
【００６０】
前記［４］の構成（前記［１］又は［２］に於いて、位置取得手段は緯度・経度表現の位置情報をＧＰＳから取得し、取得した緯度・経度表現の位置情報に対応する住所情報表現の位置情報をネットワークから取得する位置情報変換手段を更に有し、患者検索手段は位置情報変換手段により取得した住所情報表現の位置情報を居所記憶手段が持つ各患者の住所情報表現の居所と比較して居所が現在位置に最も近い患者を検索する構成）では、現在位置を住所情報表現で比較するため、［１］や［２］の効果に加えて、所望の患者を検索できる可能性が高いという効果がある。
【００６１】
前記［５］の構成（電子カルテ機能を備え、各患者の居所情報を持つ居所記憶手段と、無線通信システムの端末手段と、無線通信システムの基地局との位置関係に基づいて現在位置を取得する位置取得手段と、取得した現在位置と各患者の居所とを比較して居所が現在位置に最も近い患者を検索する患者検索手段と、検索した患者を医療情報処理の対象患者に設定する患者設定手段を有する構成）では、往診先の患者を選択する手間が不要であるため、往診時の医療情報処理の所要時間を短縮できる効果がある。
【００６２】
前記［６］の構成（電子カルテ機能を備え、各患者の居所情報を持つ居所記憶手段と、無線通信システムの端末手段と、無線通信システムの基地局との位置関係に基づいて現在位置を取得する位置取得手段と、取得した現在位置と各患者の居所とを比較して居所が現在位置に最も近い患者を検索する患者検索手段と、検索した患者を医療情報処理の対象患者の第１候補として候補リストに選択可能に表示する候補表示手段と、候補リスト中から操作入力により選択された患者を医療情報処理の対象患者に設定する患者設定手段を有する構成）では、往診先の患者であると推定される患者を第１候補として表示するため、往診先の患者を選択する操作が簡単であり、往診時の医療情報処理の所要時間を短縮できる効果がある。
【００６３】
前記［７］の構成（前記［５］又は［６］に於いて、位置取得手段は基地局表現の位置情報を無線通信システムのサーバから取得し、取得した基地局表現の位置情報を患者設定手段により設定した患者の居所情報として居所記憶手段に登録する居所登録手段を更に有し、患者検索手段は位置取得手段により取得した基地局表現の位置情報を居所記憶手段が持つ各患者の基地局表現の居所と比較して居所が現在位置に最も近い患者を検索する構成）では、現在位置を基地局表現で比較できるため、［５］や［６］の効果に加えて、処理が簡単であるという効果がある。
【００６４】
前記［８］の構成（前記［５］又は［６］に於いて、位置取得手段は基地局表現の位置情報を取得し、取得した基地局表現の位置情報に対応する住所情報表現の位置情報をネットワークから取得する位置情報変換手段を更に有し、患者検索手段は位置情報変換手段により取得した住所情報表現の位置情報を居所記憶手段が持つ各患者の住所情報表現の居所と比較して居所が現在位置に最も近い患者を検索する構成）では、現在位置を住所情報表現で比較するため、［５］や［６］の効果に加えて、所望の患者を検索できる可能性が高いという効果がある。
【図面の簡単な説明】
【図１】実施の形態の往診端末装置（診療支援装置）１０が機能されるシステム構成を示す説明図。
【図２】図１内の往診端末装置１０の対象患者特定機能をＧＰＳを利用して実現する手順を示すフローチャートの一部。
【図３】図１内の往診端末装置１０の対象患者特定機能をＧＰＳを利用して実現する手順を示すフローチャートの残部。
【図４】図１内の往診端末装置１０の対象患者特定機能をＰＨＳを利用して実現する手順を示すフローチャートの一部。
【図５】図１内の往診端末装置１０の対象患者特定機能をＰＨＳを利用して実現する手順を示すフローチャートの残部。
【図６】図１内のＧＰＳサーバ９１の緯度・経度表現−住所情報表現変換機能を実現する構成を示す説明図。
【図７】図１内のＰＨＳサーバ８１の基地局表現−住所情報表現変換機能を実現する構成を示す説明図。
【図８】図１内の医療機関サーバ１１が持つ機能とデータベースを示す説明図。
【図９】電子カルテ機能が表示する画面である患者選択画面を例示する説明図。
【図１０】電子カルテ機能が表示する画面である診療録画面を例示する説明図。
【図１１】図８の医療機関サーバ１１が持つ診療情報データベースの一部を構成する患者−傷病テーブル（上段）と傷病−傷病名テーブル（下段）を例示する説明図。
【図１２】図８の医療機関サーバ１１が持つ診療情報データベースの一部を構成する患者経過等情報テーブル（上段）と患者処方等情報テーブル（下段）を例示する説明図。
【符号の説明】
１０　往診端末装置（診療支援装置）
９０　ＧＰＳ衛星
８０　ＰＨＳ基地局
９１　ＧＰＳサーバ
８１　ＰＨＳサーバ
１１　医療機関サーバ
【図１】
2004038607.tif 000003
【図２】
2004038607.tif 000004
【図３】
2004038607.tif 000005
【図４】
2004038607.tif 000006
【図５】
2004038607.tif 000007
【図６】
2004038607.tif 000008
【図７】
2004038607.tif 000009
【図８】
2004038607.tif 000010
【図９】
2004038607.tif 000011
【図１０】
2004038607.tif 000012
【図１１】
2004038607.tif 000013
【図１２】
2004038607.tif 000014